(57)【特許請求の範囲】
【請求項１】
熱交換器と、
前記熱交換器の下方側に設けられ、前記熱交換器から滴下したドレン水を受けるドレンパンと、
前記ドレンパンが受けたドレン水を貯水する貯水部と、
前記貯水部からドレン水を吸引するポンプと、
前記ドレンパンから前記貯水部にドレン水を導く第１の排水路と、
前記第１の排水路よりも上方側に設けられ、前記ドレンパンから前記貯水部にドレン水を導く第２の排水路と、
前記第１の排水路内に設けられ、ドレン水に含まれる異物を除去する濾過器と、
を有することを特徴とする空気調和機。
【請求項２】
請求項１に記載の空気調和機であって、
前記第１の排水路は、前記ドレンパンの底面から前記貯水部に向けて下方に延在して設けられ、前記第１の排水路の上端部が前記ドレンパンの底面に連通し、前記第１の排水路の下端部が開口し、前記上端部と前記下端部との間の側部にて前記貯水部に連通しており、
前記第１の排水路の前記下端部に取り外し可能に嵌め込まれて前記第１の排水路の前記下端部を塞ぐキャップを、更に有することを特徴とする空気調和機。
【請求項３】
請求項２に記載の空気調和機であって、
前記濾過器と前記キャップとが一体化していることを特徴とする空気調和機。
【請求項４】
請求項１から請求項３のいずれか一項に記載の空気調和機であって、
前記第２の排水路に設けられ、ドレン水に含まれる異物を除去する別の濾過器を、更に有することを特徴とする空気調和機。
【請求項５】
請求項１から請求項４のいずれか一項に記載の空気調和機であって、
前記濾過器はメッシュ状の部材であることを特徴とする空気調和機。
【請求項６】
請求項１から請求項５のいずれか一項に記載の空気調和機であって、
前記ドレンパンは一方向に傾斜して配置され、前記第１の排水路及び前記第２の排水路は、前記ドレンパンの前記傾斜の下流側に設けられており、
前記ドレンパンの前記傾斜の上流側に設けられ、ドレン水を検知して検知信号を出力する第１のセンサと、
前記第１のセンサから出力された前記検知信号に基づいて空調を制御する制御手段と、
を更に有することを特徴とする空気調和機。
【請求項７】
請求項６に記載の空気調和機であって、
前記制御手段は、前記第１のセンサから前記検知信号が出力された場合に空調を停止させることを特徴とする空気調和機。
【請求項８】
請求項６又は請求項７に記載の空気調和機であって、
前記第２の排水路に設けられ、ドレン水を検知して検知信号を出力する第２のセンサを更に有し、
前記制御手段は、前記第１のセンサ及び前記第２のセンサのうちの少なくとも一方から検知信号が出力された場合に警報を発生させるよう更に制御することを特徴とする空気調和機。
【請求項９】
請求項１から請求項５のいずれか一項に記載の空気調和機であって、
前記第２の排水路に設けられ、ドレン水を検知して検知信号を出力する第２のセンサと、
前記第２のセンサから前記検知信号が出力された場合に警報を発生させるよう制御する制御手段と、
を更に有することを特徴とする空気調和機。
【請求項１０】
請求項２又は請求項３に記載の空気調和機であって、
前記貯水部の底面は、前記第１の排水路の前記下端部と同じ高さの位置に配置されていることを特徴とする空気調和機。
【請求項１１】
請求項２又は請求項３に記載の空気調和機であって、
前記貯水部の底面は、前記第１の排水路の前記下端部に向けて傾斜し、前記第１の排水路の前記下端部との境界にて前記下端部と同じ高さの位置に配置されていることを特徴とする空気調和機。
【請求項１２】
請求項２又は請求項３に記載の空気調和機であって、
前記貯水部の底面は、前記第１の排水路の前記下端部よりも下方側に配置されていることを特徴とする空気調和機。
【発明の詳細な説明】
【技術分野】
【０００１】
本発明は空気調和機に関し、特に、ドレン水を排水する技術に関する。
【背景技術】
【０００２】
空気調和機は、高温又は低温にされた熱交換器に空気を循環させて熱交換器の放熱作用又は吸熱作用によって空気の加熱又は冷却を行い、加熱又は冷却された空気を室内等に吹き出して室内等の温度調整を行う。この空気調和機を動作させると、熱交換器による空気の熱交換の際に結露した水滴が熱交換器から滴下する。一般的に、空気調和機は、熱交換器から滴下したドレン水を溜めるドレンパンを備えている。このドレンパンに溜まったドレン水は、ポンプによって吸引されて空気調和機の外部に排水される。
【０００３】
また、ごみやほこり等の異物が熱交換器に付着した場合、付着した異物はドレン水とともにドレンパンに落下して溜まる。この場合、ポンプはドレンパンに溜まった異物をドレン水とともに吸い込んでしまうため、異物がポンプの吸引口や排出口を塞いでしまい、その結果、排水不良となって水漏れが発生するおそれがある。
【０００４】
従来、ドレン水の排水不良を防ぐ手段として、一般的に、定期的な清掃を行い対処していた。この清掃は、ドレンパンやポンプ等を取り外して可能なまでに空気調和機を分解し、雑巾等を使用して手作業で行われていた。
【０００５】
一方、下記の特許文献１には、ドレンパンに仕切板を設けることで当該仕切板に異物を沈殿させ、吸引ポンプを用いて当該仕切板から強制的に異物を除去し、別の排水ポンプを用いてドレン水を排水する空気調和機が開示されている。また、下記の引用文献２には、ポンプの吸引口を囲む複数の櫛状突起が底面に形成されたドレンパンが開示されている。
【先行技術文献】
【特許文献】
【０００６】
【特許文献１】特開２００７−４０６３６号公報
【特許文献２】特開昭６０−９９９４０号公報
【発明の概要】
【発明が解決しようとする課題】
【０００７】
上述したように、従来のドレンパンの清掃には空気調和機の分解作業が必要となる。例えば天井カセット型空気調和機は、オフィスビルや工場等の建物の天井裏に設置されているため、空気調和機の分解作業は狭い天井裏で行うか、又は、空気調和機を天井裏から運び出さなければならない。そのような作業は容易ではなく、多大な時間と労力を要してしまい、空気調和機を長時間停止させる必要もある。
【０００８】
一方、引用文献１に開示されている空気調和機によると、仕切板を用いることで当該仕切板に異物を沈殿させ、吸引ポンプを用いて当該仕切板から異物を除去することができる。しかしながら、仕切板に異物が沈殿しなかった場合にはドレンパンの底面に異物が沈殿するおそれがあり、ドレンパンの底面に沈殿した異物を除去するためには、空気調和機を分解してドレンパンの底面に残存する異物を手作業で除去する必要がある。また、異物が仕切板に沈殿する前に排水ポンプによって吸引された場合、排水ポンプの吸引口や排水口が異物によって塞がれてしまうおそれがある。また、吸引ポンプによって除去しきれなかった異物を仕切板から除去するためには、空気調和機を分解して仕切板上に残存する異物を手作業で除去する必要がある。このように、ドレンパンに仕切板が設けられた空気調和機であっても、ドレンパンを清掃するために空気調和機の分解作業が必要な場合があり、多大な時間と労力を要してしまう。
【０００９】
また、引用文献２に開示されているドレンパンによると、ポンプの吸引口への異物の流入を、ポンプの吸引口を囲む櫛状突起によって阻止することができるので、異物を含まないドレン水をポンプによって吸引することができる。しかしながら、櫛状突起によって阻止された異物はドレンパン上に残存することになり、ドレンパン上に残存した異物を取り除くためには、空気調和機を分解する必要がある。従って、引用文献２に開示されているドレンパンによっても、ドレンパンの清掃には空気調和機の分解作業が必要となり、多大な時間と労力を要してしまう。
【００１０】
本発明の目的は、異物によるドレン水の排水不良を抑制するとともに、ドレンパンのメンテナンスが容易な空気調和機を提供することである。
【課題を解決するための手段】
【００１１】
請求項１に係る発明は、熱交換器と、前記熱交換器の下方側に設けられ、前記熱交換器から滴下したドレン水を受けるドレンパンと、前記ドレンパンが受けたドレン水を貯水する貯水部と、前記貯水部からドレン水を吸引するポンプと、前記ドレンパンから前記貯水部にドレン水を導く第１の排水路と、前記第１の排水路よりも上方側に設けられ、前記ドレンパンから前記貯水部にドレン水を導く第２の排水路と、前記第１の排水路内に設けられ、ドレン水に含まれる異物を除去する濾過器と、を有することを特徴とする空気調和機である。
【００１２】
請求項２に係る発明は、請求項１に係る空気調和機であって、前記第１の排水路は、前記ドレンパンの底面から前記貯水部に向けて下方に延在して設けられ、前記第１の排水路の上端部が前記ドレンパンの底面に連通し、前記第１の排水路の下端部が開口し、前記上端部と前記下端部との間の側部にて前記貯水部に連通しており、前記第１の排水路の前記下端部に取り外し可能に嵌め込まれて前記第１の排水路の前記下端部を塞ぐキャップを、更に有することを特徴とする。
【００１３】
請求項３に係る発明は、請求項２に係る空気調和機であって、前記濾過器と前記キャップとが一体化していることを特徴とする。
【００１４】
請求項４に係る発明は、請求項１から請求項３のいずれか一項に係る空気調和機であって、前記第２の排水路に設けられ、ドレン水に含まれる異物を除去する別の濾過器を、更に有することを特徴とする。
【００１５】
請求項５に係る発明は、請求項１から請求項４のいずれか一項に係る空気調和機であって、前記濾過器はメッシュ状の部材であることを特徴とする。
【００１６】
請求項６に係る発明は、請求項１から請求項５のいずれか一項に係る空気調和機であって、前記ドレンパンは一方向に傾斜して配置され、前記第１の排水路及び前記第２の排水路は、前記ドレンパンの前記傾斜の下流側に設けられており、前記ドレンパンの前記傾斜の上流側に設けられ、ドレン水を検知して検知信号を出力する第１のセンサと、前記第１のセンサから出力された前記検知信号に基づいて空調を制御する制御手段と、を更に有することを特徴とする。
【００１７】
請求項７に係る発明は、請求項６に係る空気調和機であって、前記制御手段は、前記第１のセンサから前記検知信号が出力された場合に空調を停止させることを特徴とする。
【００１８】
請求項８に係る発明は、請求項６又は請求項７に係る空気調和機であって、前記第２の排水路に設けられ、ドレン水を検知して検知信号を出力する第２のセンサを更に有し、前記制御手段は、前記第１のセンサ及び前記第２のセンサのうちの少なくとも一方から検知信号が出力された場合に警報を発生させるよう更に制御することを特徴とする。
【００１９】
請求項９に係る発明は、請求項１から請求項５のいずれか一項に係る空気調和機であって、前記第２の排水路に設けられ、ドレン水を検知して検知信号を出力する第２のセンサと、前記第２のセンサから前記検知信号が出力された場合に警報を発生させるよう制御する制御手段と、を更に有することを特徴とする。
【００２０】
請求項１０に係る発明は、請求項２又は請求項３に係る空気調和機であって、前記貯水部の底面は、前記第１の排水路の前記下端部と同じ高さの位置に配置されていることを特徴とする。
【００２１】
請求項１１に係る発明は、請求項２又は請求項３に係る空気調和機であって、前記貯水部の底面は、前記第１の排水路の前記下端部に向けて傾斜し、前記第１の排水路の前記下端部との境界にて前記下端部と同じ高さの位置に配置されていることを特徴とする。
【００２２】
請求項１２に係る発明は、請求項２又は請求項３に係る空気調和機であって、前記貯水部の底面は、前記第１の排水路の前記下端部よりも下方側に配置されていることを特徴とする。
【発明の効果】
【００２３】
本発明によると、ドレン水に含まれる異物を濾過器によって除去することができるので、異物によるドレン水の排水不良を抑制することができる。また、濾過器に異物が詰まった場合、第２の排水路によってドレン水を貯水部に導いてドレン水を排水することができる。また、第１の排水路から濾過器を取り外すことでドレンパンから異物を取り除くことができるので、ドレンパンのメンテナンスが容易となる。
【図面の簡単な説明】
【００２４】
【図１】本発明の実施形態に係る空気調和機の概略説明図である。
【図２】変形例１に係る空気調和機の概略説明図である。
【図３】変形例２に係る空気調和機の概略説明図である。
【図４】変形例３に係る空気調和機の概略説明図である。
【発明を実施するための形態】
【００２５】
図１に、本発明の実施形態に係る空気調和機の概略構成を示す。本実施形態に係る空気調和機１は、オフィスビルや工場等の建物の天井裏に設置されている。例えば、空気調和機１は、建物の天井の図示しない化粧パネルの裏面に設置されている。
【００２６】
空気調和機１は熱交換器２を備え、空気の加熱又は冷却を行う。熱交換器２の下方には熱交換器２から滴下したドレン水を受けるドレンパン３が配置されている。ドレン水には、ごみやほこり等の異物が含まれている。ドレンパン３は、一例として、一方向に向かって高さが低くなるように傾斜が設けられており、傾斜の下流側にはドレン水を溜める貯水部９が設けられている。すなわち、ドレンパン３の底面３１は貯水部９に向かうに従って下方へ傾斜しており、重力の作用によってドレン水を貯水部９に導いている。なお、ドレンパン３は傾斜していなくてもよい。
【００２７】
貯水部９は、ドレンパン３が受けたドレン水を溜める。貯水部９内には、ドレン水を吸引するポンプ１０が配置されている。ポンプ１０によって吸引されたドレン水は、ポンプ１０に連通したドレン管１１を介して空気調和機１の外部に排水される。また、貯水部９には、ドレン水を検知するポンプセンサ１２が設けられていてもよい。ポンプセンサ１２は、ポンプ１０の起動タイミングを決定するために用いられる。ポンプセンサ１２は貯水部９内のドレン水を検知した場合、当該検知を示す検知信号を制御部１６に出力する。
【００２８】
ドレンパン３と貯水部９とはブロック４によって領域が分けられており、ブロック４によって、ドレンパン３と貯水部９との間に第１の排水路５と第２の排水路６とが形成されている。第１の排水路５及び第２の排水路６は、ドレンパン３の傾斜の下流側に設けられており、ドレンパン３が受けたドレン水を貯水部９に導く。
【００２９】
第１の排水路５は上端部５１と下端部５２とを有し、上端部５１はドレンパン３の下流側の底面３１と連通し、下端部５２は開口してドレンパン３の外部に開放されている。第１の排水路５は、ドレンパン３の下流側の底面３１から貯水部９に向けて延在して設けられ、上端部５１と下端部５２との間の側部５３にて貯水部９と連通している。図１に示す空気調和機１においては、第１の排水路５は、ドレンパン３の底面３１から貯水部９に向かって高さが低くなるように傾斜が設けられており、傾斜の下流側に貯水部９が設けられている。すなわち、第１の排水路５は、ドレンパン３の底面３１から貯水部９に向かうに従って下方へ傾斜しており、ドレンパン３が受けたドレン水を重力の作用によって貯水部９に導いている。
【００３０】
第１の排水路５内には、ドレン水に含まれる異物を除去する濾過器７が設けられている。濾過器７は、金属又は樹脂によって構成されたメッシュ状部材又は多孔質部材である。第１の排水路５内に濾過器７を配置することで、第１の排水路５を流れるドレン水に含まれる異物を濾過器７によって除去することができる。例えば、メッシュ状部材の孔は、ごみやほこり等の異物を除去するのに適した大きさであればよく、貯水部９に設置されているポンプ１０の吸引口よりも小さいことが好ましい。メッシュ状部材の孔をポンプ１０の吸引口よりも小さくすることで、ポンプ１０の吸引口を塞ぐような大きさの異物を濾過器７によって除去することができる。例えば、ポンプ１０の吸引口の直径が１０〜１５ｍｍである場合、メッシュ状部材の孔の大きさは１０ｍｍ以下であればよく、更に、メッシュ状部材の孔を２ｍｍ以下にすることで、より小さい異物をドレン水から除去し、ポンプ１０の吸引口が異物によって塞がることを防止できる。
【００３１】
また、第１の排水路５の下端部５２には、下端部５２の開口を塞ぐためのゴム製のキャップ８が嵌め込まれている。キャップ８は取り外し可能に第１の排水路５の下端部５２に嵌め込まれており、キャップ８を下端部５２から取り外すことで、第１の排水路５から濾過器７を取り外したり、第１の排水路５内に濾過器７を設置したりすることができる。なお、濾過器７とキャップ８とは一体化していてもよい。
【００３２】
第２の排水路６は、ブロック４によって第１の排水路５から区分けされており、第１の排水路５よりも上方側に配置されている。すなわち、第１の排水路５は第２の排水路６よりも下方側に配置されており、第１の排水路５とドレンパン３との境界に位置する上端部５１も、第２の排水路６よりも下方側に配置されている。そのため、ドレンパン３が受けたドレン水は、重力の作用によって、第２の排水路６よりも第１の排水路５に優先的に流れ込む。このように、ドレンパン３が受けたドレン水は第１の排水路５に優先的に流れ込み、ドレン水に含まれる異物は、第１の排水路５内に配置された濾過器７によって除去される。しかしながら、濾過器７によって異物が除去され続けると、第１の排水路５は異物によって詰まった状態となり、ドレン水が第１の排水路５を流れ難くなる。すなわち、第１の排水路５を詰まらせる程度まで異物が濾過器７によって除去されると、ドレン水が第１の排水路５を流れ難くなる。この場合、第１の排水路５によって排水しきれなかったドレン水は、第１の排水路５から溢れて第１の排水路５よりも上方に配置されている第２の排水路６に流れ込み、第２の排水路６を介して貯水部９に流れ込む。このように、第２の排水路６は、第１の排水路５が詰まった状態となってドレン水が流れ難くなった場合の緊急用の排水路として機能する。
【００３３】
また、第２の排水路６に濾過器１５を設けてもよい。図１に示す空気調和機１においては、貯水部９の上方側に濾過器１５が配置されている。濾過器１５は、濾過器７と同様に、金属又は樹脂によって構成されたメッシュ状部材又は多孔質部材である。第２の排水路６に濾過器１５を配置することで、第２の排水路６を流れるドレン水に含まれる異物を除去することができる。従って、第１の排水路５が詰まってドレン水が第２の排水路６に流れ込んだ場合であっても、ドレン水に含まれる異物を濾過器１５によって除去することができる。
【００３４】
ドレンパン３の傾斜の上流側に第１の異常検知センサ１３が設けられている。また、第２の排水路６に第２の異常検知センサ１４が設けられている。第１の異常検知センサ１３及び第２の異常検知センサ１４はドレン水を検知し、当該検知を示す検知信号を制御部１６に出力する。第２の異常検知センサ１４が配置されている高さの位置（破線で示す位置）を基準にすると、第１の異常検知センサ１３は第２の異常検知センサ１４よりも上方側に配置されている。すなわち、第１の異常検知センサ１３によって高水位状態のドレン水を検知し、第２の異常検知センサ１４によって低水位状態のドレン水を検知する。
【００３５】
第１の排水路５に詰まりが生じて第２の排水路６にドレン水が流れ込んだ場合、第２の異常検知センサ１４がドレン水を検知する。また、第１の異常検知センサ１３は、第２の異常検知センサ１４よりも上方側、かつ、ドレンパン３の傾斜の上流側に設置されているため、第２の排水路６にドレン水が流れ込み、更に、ドレン水がドレンパン３の上流側にまで達した場合にドレン水を検知する。このように、第１の排水路５に詰まりが生じて第２の排水路６にドレン水が流れ込んだ場合、第２の異常検知センサ１４がドレン水を検知し、さらにドレン水の量が増大してドレンパン３の上流側まで達した場合、第１の異常検知センサ１３がドレン水を検知する。
【００３６】
なお、第１の異常検知センサ１３及び第２の異常検知センサ１４は、フロートスイッチであってもよい。例えば第２の異常検知センサ１４にフロートスイッチを用いて、第２の排水路６を流れるドレン水の水位を検知する場合、第１の異常検知センサ１３を設けなくてもよい。
【００３７】
制御部１６は、ポンプセンサ１２から検知信号を受けた場合、ポンプ１０を駆動させる。これにより、ポンプ１０は貯水部９からドレン水を吸引し、ドレン管１１を介してドレン水を空気調和機１の外部に排水する。
【００３８】
また、制御部１６は、第２の異常検知センサ１４から検知信号を受けた場合、警報発生指示を出力部１７に出力して警報を発生させるように出力部１７を制御する。また、制御部１６は、第２の異常検知センサ１４から検知信号を受けた場合、濾過器７の交換や清掃を促すための情報を出力するように出力部１７を制御してもよい。第２の異常検知センサ１４がドレン水を検出したということは、濾過器７が詰まって第２の排水路６にドレン水が流れ込んでいることを意味する。すなわち、第２の異常検知センサ１４によるドレン水の検知は、濾過器７が異物によって汚れて詰まっていることを意味する。そのため、濾過器７が異物によって詰まっていることをユーザや管理者等に知らせるために、制御部１６は、警報を発生させるように出力部１７を制御する。また、異物が詰まった濾過器７の交換や清掃をユーザや管理者等に促すために、制御部１６は、濾過器７の交換や清掃を促すための情報を出力するように出力部１７を制御する。
【００３９】
また、制御部１６は、第１の異常検知センサ１３から検知信号を受けた場合に空気調和機１の運転を停止させる。これにより、空気調和機１による空調が停止する。第１の異常検知センサ１３がドレン水を検知したということは、ドレン水が第２の排水路６に流れ込み、さらにドレンパン３の上流側まで達していることを意味する。すなわち、第１の異常検知センサ１３によるドレン水の検知は、ドレンパン３におけるドレン水の水位が上昇し過ぎて、第２の排水路６によってもドレン水を貯水部９に十分に排水することができないことを意味する。このように、第１の排水路５と第２の排水路６とによってもドレン水をドレンパン３から貯水部９に十分に排水することができないため、ドレン水がドレンパン３から外部に漏れるおそれがある。ドレン水の漏れを防止するために、第１の異常検知センサ１３がドレン水を検知した場合、制御部１６は空気調和機１の運転を停止させる。
【００４０】
また、制御部１６は、第１の異常検知センサ１３から検知信号を受けた場合、空気調和機１の運転を停止させるとともに、警報発生指示を出力部１７に出力して警報を発生させるように出力部１７を制御してもよい。また、制御部１６は、第１の異常検知センサ１３から検知信号を受けた場合、濾過器７の交換や清掃を促すための情報を出力するように出力部１７を制御してもよい。
【００４１】
出力部１７は警報信号を出力する。例えば、出力部１７はスピーカ等の音声発生装置であり、制御部１６による警報発生指示に従って警報音を発生する。また、出力部１７はＣＲＴや液晶ディスプレイ等の表示装置であってもよく、制御部１６による警報発生指示に従って警報メッセージを表示してもよい。また、出力部１７はネットワークインターフェース等の通信手段であってもよく、警報発生指示を示す警報信号を、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等のネットワーク等の通信経路を介して監視センタ等の管理センタに送信してもよい。管理センタは、ネットワーク等の通信経路を介して警報信号を空気調和機１から受信した場合、音声発生装置に警報音を発生させたり、表示装置に警報メッセージを表示させたり、空気調和機１のメンテナンス等の作業を行う作業者が携帯する予め登録された携帯端末装置に警報を通知したりしてもよい。また、出力部１７は、制御部１６の制御の下、濾過器７の交換や清掃を促すためのメッセージを表示したり、当該メッセージの音声を出力したり、当該メッセージを上記の管理センタに送信したりしてもよい。
【００４２】
次に、上記の構成を有する空気調和機１の作用及び効果について説明する。まず、空気調和機１を動作させると、熱交換器２による熱交換の際に結露したドレン水が熱交換器２からドレンパン３に滴下する。ドレン水には、例えばごみやほこり等の異物が含まれる。ドレンパン３に滴下したドレン水は、ドレンパン３の下流側に設置されドレンパン３よりも下方側に延在する第１の排水路５内に流れ込み、第１の排水路５を介して貯水部９に流れ込む。すなわち、ドレン水は、図１に示す矢印Ａの方向に沿って、ドレンパン３の下流側の底面３１に連通する上端部５１から第１の排水路５内に流れ込み、重力の作用によって上端部５１から下端部５２に向けて流れ、上端部５１と下端部５２との間の側部５３から貯水部９に流れ込む。第１の排水路５内には濾過器７が設置されているため、ドレン水が第１の排水路５内を流れている間に、ドレン水に含まれる異物が濾過器７によって除去される。貯水部９に流れ込んだドレン水はポンプ１０によって吸引され、ドレン管１１を介して空気調和機１の外部に排水される。貯水部９に流れ込んだドレン水は濾過器７によって異物が除去されているため、異物によってポンプ１０の吸引口や排出口が塞がれてしまうことを防止できる。
【００４３】
そして、濾過器７によって異物が除去され続けて第１の排水路５が異物によって詰まった状態になると、図１に示す矢印Ｂの方向に沿って、ドレン水は第２の排水路６に流れ込み、第２の排水路６を介して貯水部９に流れ込む。このように、第１の排水路５が異物によって詰まった状態となった場合であっても、第２の排水路６を介してドレン水をドレンパン３から貯水部９に導くことができる。
【００４４】
第２の排水路６にドレン水が流れ込んだ場合、第２の異常検知センサ１４がドレン水を検知し、当該検知を示す検知信号を制御部１６に出力する。制御部１６は、第２の異常検知センサ１４から検知信号を受けた場合、警報発生指示を出力部１７に出力する。出力部１７は、当該警報発生指示に従って、音声発生装置、表示装置及び通信手段のうちの少なくとも１つの手段によって警報信号を出力する。また、出力部１７は、制御部１６の制御の下、濾過器７の交換や清掃を促すためのメッセージを出力してもよい。このように、第２の排水路６にドレン水が流れ込んだことをユーザや管理者等に報知することで、ユーザや管理者等は、濾過器７が詰まった状態であることを認識することができる。
【００４５】
そして、ドレン水が第２の排水路６に流れ込み、さらにドレンパン３の上流側まで達した場合、第１の異常検知センサ１３がドレン水を検知し、当該検知を示す検知信号を制御部１６に出力する。制御部１６は、第１の異常検知センサ１３から検知信号を受けた場合、空気調和機１の運転を停止させる。第１の異常検知センサ１３がドレン水を検知した場合、ドレンパン３におけるドレン水の水位が上昇し過ぎて、第２の排水路６によってもドレン水を貯水部９に十分に排水することができていないため、制御部１６は空気調和機１の運転を停止させる。これにより、ドレン水がドレンパン３から漏れ出すことを防止する。
【００４６】
また、濾過器７を取り外す場合、作業者は、第１の排水路５の下端部５２（開口部）に嵌め込まれているキャップ８を取り外すことで、第１の排水路５内に設置されている濾過器７を下端部５２から取り外すことができる。異物が詰まった濾過器７を第１の排水路５から取り外し、新しい濾過器７を下端部５２から第１の排水路５内に挿入することで、新しい濾過器７を第１の排水路５内に簡単に設置することができる。このように、キャップ８を取り外すだけで、濾過器７を簡単に交換することができるので、ドレンパン３のメンテナンスが容易となる。また、異物が詰まった濾過器７を洗浄し、洗浄後の濾過器７を第１の排水路５内に設置してもよい。このように濾過器７を洗浄する場合であってもドレンパン３の全体を清掃する必要が無く、濾過器７を洗浄することで異物を除去することができるので、ドレンパン３のメンテナンスが容易となる。また、濾過器７とキャップ８とが一体化している場合、濾過器７とキャップ８とを一緒に取り外したり取り付けたりできるので、メンテナンスがより容易になる。
【００４７】
以上のように、本実施形態に係る空気調和機１によると、第１の排水路５内に濾過器７を設けてドレン水に含まれる異物を除去することで、ドレンパン３上への異物の残存を防止し、貯水部９への異物の流入を防止することができる。そのことにより、ポンプ１０の吸引口や排出口が異物によって塞がれないため、異物によるドレン水の排水不良を抑制することができる。また、濾過器７は下端部５２が開放されている第１の排水路５内に設置されており、下端部５２はキャップ８が嵌め込まれてキャップ８によって塞がれているので、キャップ８を下端部５２から取り外すだけで、第１の排水路５から濾過器７を簡単に取り外すことができ、また、第１の排水路５内に濾過器７を簡単に取り付けることができる。このように、本実施形態に係る空気調和機１によると、濾過器７によってドレン水の排水不良を抑制することができる。また、ドレン水に含まれる異物は取り外しが容易な濾過器７によって除去されるので、濾過器７を取り外すだけでドレンパン３から異物を除去してドレンパン３を清掃することができる。このように、ドレンパン３のメンテナンスが容易となる。また、濾過器７は簡単に取り外すことができるため、定期的に濾過器７を交換することで、排水不良が発生する可能性を更に低減することができる。
【００４８】
なお、第１の排水路５の下端部５２を、貯水部９の底面と同じ高さ又は貯水部９の底面よりも低い位置に配置することで、キャップ８を取り外したときに、貯水部９内に残存しているドレン水を、第１の排水路５の下端部５２から外部に排水することができる。
【００４９】
次に、図２から図４を参照して、変形例１から変形例３に係る空気調和機について説明する。図２から図４にそれぞれ示す変形例１から変形例３に係る空気調和機１Ａ，１Ｂ，１Ｃにおいては、第１の排水路５は、ドレンパン３の下流側の底面３１から垂直方向に下方に向けて延在している。上述した実施形態に係る空気調和機１と同様に、第１の排水路５内に濾過器７が設置されている。第１の排水路５が垂直方向に延在している点が、上述した実施形態に係る空気調和機１と異なる点である。このように第１の排水路５をドレンパン３の下流側の底面３１から垂直方向に配置した場合であっても、ドレン水は、重力の作用によってドレンパン３から第１の排水路５を介して貯水部９に流れ込む。そして、ドレン水が第１の排水路５を流れている間に、ドレン水に含まれる異物は第１の排水路５内に配置された濾過器７によって除去されるため、異物によるドレン水の排水不良を抑制することができる。また、キャップ８を第１の排水路５の下端部５２から取り外すだけで、第１の排水路５から濾過器７を簡単に取り出すことができ、また、第１の排水路５内に濾過器７を簡単に取り付けることができる。なお、図１に示す空気調和機１のように第１の排水路５を傾斜させることで、第１の排水路５を垂直方向に延在させた場合と比べて、ドレンパン３から貯水部９までに延在する第１の排水路５の距離をより長くすることができる。そのことにより、傾斜した第１の排水路５内に配置された濾過器７をドレン水が通過する距離がより長くなるため、より広い範囲の濾過器７にドレン水が接し、より多くの異物を濾過器７によって除去することができる。
【００５０】
また、図２に示す変形例１に係る空気調和機１Ａにおいては、第１の排水路５の下端部５２は、貯水部９の底面と同じ高さに配置されている。従って、キャップ８を第１の排水路５の下端部５２から取り外すことで、貯水部９内に残存しているドレン水を、第１の排水路５の下端部５２から外部に排水することができる。
【００５１】
また、図３に示す変形例２に係る空気調和機１Ｂのように、貯水部９の底面は、第１の排水路５の下端部５２に向けて傾斜し、下端部５２との境界にて下端部５２と同じ高さの位置に配置されていてもよい。これにより、貯水部９内に残存しているドレン水が第１の排水路５の下端部５２に流れやすくなるので、キャップ８を第１の排水路５の下端部５２から取り外したときに、貯水部９内に残存しているドレン水を下端部５２から外部に良好に排水することができる。なお、上述した実施形態に係る空気調和機１においても、貯水部９の底面が第１の排水路５の下端部５２に向けて傾斜していてもよい。
【００５２】
また、図４に示す変形例３に係る空気調和機１Ｃのように、貯水部９の底面が、第１の排水路５の下端部５２よりも低い位置に配置されていてもよい。第１の排水路５の下端部５２は貯水部９の底面よりも高い位置に配置されているため、貯水部９に流れ込んだドレン水は第１の排水路５に逆流し難くなる。そのため、キャップ８を下端部５２から取り外したときに、貯水部９内に残存しているドレン水が第１の排水路５に流れて下端部５２から外部に流れ出ることを防止することができる。キャップ８を取り外しても貯水部９内のドレン水が外部に流れ出ないため、濾過器７の取り付け及び取り外しが容易となり、ドレンパン３のメンテナンスが容易となる。なお、上述した実施形態に係る空気調和機１においても、貯水部９の底面が第１の排水路５の下端部５２よりも低い位置に配置されていてもよい。
【符号の説明】
【００５３】
１，１Ａ，１Ｂ，１Ｃ  空気調和機、２  熱交換器、３  ドレンパン、４  ブロック、５  第１の排水路、６  第２の排水路、７，１５  濾過器、８  キャップ、９  貯水部、１０  ポンプ、１１  ドレン管、１２  ポンプセンサ、１３  第１の異常検知センサ、１４  第２の異常検知センサ、１６  制御部、１７  出力部、３１  底面、５１  上端部、５２  下端部、５３  側部。
【図１】
0005635967.tif 000002
【図２】
0005635967.tif 000003
【図３】
0005635967.tif 000004
【図４】
0005635967.tif 000005